(57)【要約】      （修正有）【課題】適切なタイミングで人工礁の設置を完了しやすい固定具を提供する。【解決手段】人工礁の海底設置用の固定具１は、人工礁の設置面と海底側の表面である海底面とを有する台座１０を備え、海底面とは反対側に向かって設置面から突出したネジ部２０と、海底面から設置面まで台座を直線に沿って貫通した貫通孔３０とが、台座に形成されている。【選択図】図１
0003201873.tif 000002
【実用新案登録請求の範囲】
【請求項１】
人工礁の海底設置用の固定具であって、前記人工礁の設置面と海底側の表面である海底面とを有する台座を備えており、前記海底面とは反対側に向かって前記設置面から突出したネジ部と、前記海底面から前記設置面まで前記台座を直線に沿って貫通した貫通孔とが、前記台座に形成されていることを特徴とする固定具。
【請求項２】
２つの前記ネジ部及び２つ前記貫通孔が前記台座に設けられており、
前記２つのネジ部同士を結ぶ方向に関して前記２つのネジ部より外側に前記２つの貫通孔が配置されていることを特徴とする請求項１に記載の固定具。
【考案の詳細な説明】
【技術分野】
【０００１】
本考案は、海藻及び魚介類用の人工礁の固定具に関する。
【背景技術】
【０００２】
従来、特許文献１のように人工礁を海底に設置することがある。このような人工礁の海底への設置方法としては、単に海底に載置するだけの方法や、ボルト等を用いて人工礁を海底に固定する方法がある。
【先行技術文献】
【特許文献】
【０００３】
【特許文献１】特許第３６５４４８７号公報
【考案の概要】
【考案が解決しようとする課題】
【０００４】
人工礁を海底に載置するだけの従来方法によると、人工礁の重量をかなり大きなものとしなければ、人工礁が波浪や潮流等に流されるおそれがある。また、ボルト等を用いて人工礁を海底に固定する場合、固定工程に時間がかかるおそれがある。一方、人工礁を海底に設置するのに適切なタイミングが限られていることがある。これは、例えば、人工礁への海藻の胞子の付着等に適した時期が限られていたり、天候等の環境要因によって海底での作業に適した時期が限られていたりすることによる。したがって、人工礁の固定に時間がかかると、適切なタイミングで人工礁の設置を完了できないおそれがある。
【０００５】
本考案の目的は、適切なタイミングで人工礁の設置を完了しやすい人工礁の海底設置用の固定具を提供することにある。
【課題を解決するための手段】
【０００６】
本考案の人工礁の海底設置用の固定具は、前記人工礁の設置面と海底側の表面である海底面とを有する台座を備えており、前記海底面とは反対側に向かって前記設置面から突出したネジ部と、前記海底面から前記設置面まで前記台座を直線に沿って貫通した貫通孔とが、前記台座に形成されている。
【０００７】
海底においてそれほど重量のない人工礁を設置する場合、強い潮流等により、人工礁が流されてしまう可能性がある。また、人工礁の設置に時間がかかると、適切な設置タイミングで人工礁の設置を完了できないおそれがある。これに対し、本考案の固定具によると、台座の貫通孔を挿通させたボルト等によって固定具と岩盤等を固定すると共に固定具のネジ部と人工礁を固定することで人工礁を海底に設置できる。これによると、それほど重量のない人工礁でも海底に確実に固定することができる。したがって、人工礁の重量を固定のために大きくする必要がない。また、ネジ部による人工礁と固定具の固定は、簡単に行うことができる。よって、あらかじめ固定具を海底に固定しておけば、必要なタイミングで人工礁を固定具に簡単に固定できる。これによると、例えば、海の状態が安定し海底作業に適した時期にあらかじめ固定具を海底に固定しておき、その後、海藻が胞子を出す時期が到来すれば、そのタイミングを見計らって速やかに人工礁を固定具に固定できる。したがって、人工礁を設置するのに適切なタイミングで人工礁の設置を完了させやすい。
【０００８】
また、前記固定具は、２つの前記ネジ部及び２つ前記貫通孔が前記台座に設けられており、前記２つのネジ部同士を結ぶ方向に関して前記２つのネジ部より外側に前記２つの貫通孔が配置されていることが好ましい。これによると、貫通孔がネジ部の外側に配置されていることで、つまり、貫通孔がネジ部の内側にないため、ボルト等と貫通孔とで、固定具と岩盤等を固定した後、ネジ部で人工礁と固定具を固定する際に、貫通孔に挿入されたボルト等が邪魔になることが防止できる。
【図面の簡単な説明】
【０００９】
【図１】図１（ａ）は、本考案の一実施形態に係る固定具の平面図である。図１（ｂ）は、一部アンカーピン等で岩盤に固定した状態の固定具の側面図である。岩盤は断面を示している。
【図２】複数の図１の固定具を海底の岩盤に近接して取り付けた状態を示す概略図である。
【図３】図３（ａ）は、図１の固定具に人工礁を固定した場合の平面図である。図３（ｂ）は、図３（ａ）の側面図である。
【考案を実施するための形態】
【００１０】
本考案の一実施形態に係る人工礁の海底設置用の固定具１について、図１を用いて説明する。図１（ａ）に示すように、本実施形態に係る固定具１は、台座１０、２つのネジ部２０、及び２つの貫通孔３０を有する。台座１０は、ステンレス製の長方形の概略形状を有する平板状の部材からなる。図１（ｂ）に示すように、最も広い面積を有する表面１０ａ及び１０ｂのうち、表面１０ａが人工礁の設置面であり、表面１０ｂが海底側の表面（海底面）である。さびが生じにくい材質や表面の塗装処理等であれば、ステンレス製でなくともよい。例えば、その他の金属等であってもよい。
【００１１】
２つのネジ部２０は、台座１０の中ほどに台座１０の表面１０ａから上方（表面１０ｂとは反対側の方向）に垂直に突出するよう溶接されている。ネジ部２０は、ステンレス製のボルトである。さびが生じにくい同様な材質であれば、ステンレス製でなくともよい。ネジ部２０の台座１０における位置及び大きさは、後述する人工礁１００に設けられた挿通孔１１０の、人工礁１００における位置及び大きさに応じて調整されている。
【００１２】
２つの貫通孔３０は、台座１０をその厚み方向に沿って直線的に貫通している。２つの貫通孔３０は、台座１０において２つのネジ部２０同士を結ぶ方向Ａに関して、ネジ部２０より外側に配置されている。貫通孔３０の大きさは、海底の岩盤等に固定具１を設置する際に用いる後述のアンカーピン１１の大きさに応じて調整されている。
【００１３】
固定具１は、削岩機等によって海底の岩盤や大型の人工礁等（以下、岩盤等とする）に形成された孔に、ステンレス製のアンカーピン１１及びナット１２によって固定される。削岩機は、例えば、圧縮空気を動力源として空圧作動するものが用いられる。アンカーピン１１の先端には接着剤入りカプセルが設置されている。アンカーピン１１が孔内に差し込まれた後、アンカーピン１１の後端に打撃が加えられる。これにより、アンカーピン１１の先端部分が開くと共に、接着剤入りカプセルが破壊されて接着剤が孔とアンカーピン１１との隙間に充填される。よって、アンカーピン１１が岩盤等に強固に固定される。なお、固定する人工礁によってアンカーピンは接着方式あるいは先端が機械的に開くどちらか1方式であって良い。このようにして岩盤等に固定された２本のアンカーピン１１の後端が固定具１の２個の貫通孔３０に挿通される。そして、アンカーピン１１の後端からナット１２が締め付けられることで、固定具１が岩盤等に固定される。なお、沖合の深い海底においては、大型のエアーコンプレッサーが削岩機と併用されてもよい。また、空気圧ではなく油圧によって駆動される削岩機が用いられてもよい。
【００１４】
図３（ａ）に示すように固定具１上には人工礁１００が固定される。人工礁１００は、直方体の概略形状をした土台部１２０、土台部１２０の上方には増殖用基質１３０を有する。図３（ｂ）に示すように、土台部１２０はネジ部２０が挿通される２つの挿通孔１１０を有する。土台部１２０はコンクリートで形成されている。土台部１２０は、２つの挿通孔１１０同士を結ぶ方向（方向Ａに沿った方向）に関して固定具１の２つの貫通孔３０同士の離隔距離より短い。土台部１２０の側面には把手１４０が固定されている。土台部１２０を運搬する際に把手１４０を持って運搬する。土台部１２０は、２つの挿通孔１１０にネジ部２０が挿通された後に、ネジ部２０の上端からナット１１１が締め付けられることによって固定具１に固定される。貫通孔３０がネジ部２０の外側に配置されていることで、貫通孔３０に挿入されたアンカーピン１１が邪魔になることが防止できる。また、２つの挿通孔１１０同士を結ぶ方向に関して土台部１２０が２つの貫通孔３０同士の離隔距離より短いので、土台部１２０が固定具１に固定されても貫通孔３０を塞がない。土台部１２０の材質は、さびにくいものであればコンクリートでなくてもよい。増殖用基質１３０は、貝殻等で形成されており、魚類の餌場や卵の産み付け場所、海藻の胞子の付着場所等として用いられる。増殖用基質１３０は、表面に凹部が形成されたり多孔質の材料等から構成されてもよい。
【００１５】
以下、固定具１の使用方法について説明する。上記の通り、岩盤等に固定具１を固定すると共に固定具１上に人工礁１００を固定することにより、人工礁１００を海底に強固に固定することができる。人工礁１００は、固定具１が岩盤等に固定される前に固定具１に固定されてもよいし、固定具１が岩盤等に固定された後に固定されてもよい。後者の場合、固定具１が岩盤等に固定されたら、その固定具１にすぐに人工礁１００が固定されてもよい。
【００１６】
一方、固定具１を海底に設置した後、続けて人工礁１００を設置するのではなく、人工礁１００を設置する時期を一旦見計らってもよい。これによると、複数個の人工礁１００を設置する場合には、まず、図２に示すように、複数個の固定具１のみが近接して海底に設置された状態になる。その後（例えば、１日〜数ヶ月間後）、例えば固定具１の近くに存在する海藻が胞子を出す時期に人工礁１００を固定具１に設置する。したがって、タイミングを見計らって複数の人工礁１００を速やかに台座に固定することができる。これにより、適切なタイミングで複数の人工礁１００を海底に設置できる。また、固定具１の岩盤等への固定と人工礁１００の固定具１への固定とを分けて行うので、それぞれの固定作業を海底作業に適した時期を選んで行いやすい。
【００１７】
また、一旦海底に設置された人工礁１００は、ナット１１１をネジ部２０から外し、土台部１２０をネジ部２０から外すことで、固定具１から取り外すことができる。これを利用して、設置場所において海藻の胞子が付着した人工礁１００を別の場所に移設することが可能である。例えば、あらかじめ採苗（人工礁への胞子の付着）を行う場所及び移設先の場所の双方に固定具１を設置しておき、一旦採苗場所（海藻の胞子を付着させる場所）のみに人工礁１００を設置する。その後、しばらくして、人工礁１００上に海藻がある程度着生したら、その人工礁１００を固定具１から取り外し、移設先の場所へと人工礁１００を運搬する。そして、運搬した人工礁１００を、移設先の場所にあらかじめ設置された固定具１に固定する。
【００１８】
本実施形態の人工礁１００の海底設置用の固定具１には以下の利点がある。海底においてそれほど重量のない人工礁１００を設置する場合、強い潮流等により、人工礁１００が流されてしまう可能性がある。また、人工礁１００の設置に時間がかかると、適切な設置タイミングで人工礁１００の設置を完了できないおそれがある。これに対し、本実施形態の固定具１によると、上記の通り、アンカーピン１１とナット１２によってあらかじめ固定具１を岩盤等に固定しておき、その後、固定具１のネジ部２０と人工礁１００を固定することで人工礁１００を海底に設置できる。これによると、それほど重量のない人工礁１００でも海底に確実に固定することができる。したがって、人工礁１００の重量を固定のために大きくする必要がない。よって、人工礁１００を軽量化しやすい。人工礁１００が軽量であることで、人工礁１００の設置が大掛かりなものとならない。クレーン等によって人工礁１００を設置しなくとも、漁師等が潜水することで設置が可能となる。また、人工礁１００を移設しやすい。
【００１９】
また、ネジ部２０による人工礁１００と固定具１の固定は、簡単に行うことができる。よって、上記の通りあらかじめ固定具１を海底に固定しておけば、必要なタイミングで人工礁１００を固定具１に簡単に固定できる。これによると、例えば、海の状態が安定し海底作業に適した時期にあらかじめ固定具１を海底に固定しておき、その後、海藻が胞子を出す時期が到来すれば、そのタイミングを見計らって速やかに人工礁１００を固定具１に固定できる。また、あらかじめ採苗等を行う海域と移設先の海域の双方に固定具１を設置しておき、人工礁１００のみを回収、運搬することができる。したがって、人工礁１００を設置するのに適切なタイミングで人工礁１００の設置を完了させやすい。
【００２０】
以上は、本考案の好適な実施形態についての説明であるが、本考案は上述の実施形態に限られるものではなく、課題を解決するための手段に記載された範囲の限りにおいて様々な変更が可能なものである。以下、上述の実施形態に係る変形例について説明する。また、上述の実施形態と共通の部分については上述と同じ符号を用いると共に、説明を適宜省略する。
【００２１】
上述の実施形態では、台座１０は長方形の平板状の部材であるが、その他の形状を有する部材であってもよい。例えば、岩盤の形状に沿ったものでもよい。
【００２２】
上述の実施形態では、１つの固定具１に１つの人工礁１００を固定することとしているが、２つ以上の人工礁１００が固定できるように、固定具１が３つ以上のネジ部２０を有していてもよい。
【００２３】
２つのネジ部２０が１つの人工礁１００を固定することとしているが、１つ、又は３つ以上のネジ部２０で１つの人工礁１００を固定することとしても良い。
【符号の説明】
【００２４】
１  固定具、１０  台座、２０  ネジ部、３０  貫通孔、１００  人工礁、１１０  挿通孔、１２０  土台部、１３０  増殖用基質
【図１】
0003201873.tif 000003
【図２】
0003201873.tif 000004
【図３】
0003201873.tif 000005